(57)【要約】【課題】    インターネットを介して提供される登記情報を取得できない事態を避けるための登記情報取得方法、登記情報取得装置、登記情報取得プログラムを提供することにある。また、インターネットを介して提供される登記情報が表示される際に登記情報が表示されない事態を避けるため登記情報表示装置、登記情報表示方法、登記情報表示プログラムを提供することにある。【解決手段】    インターネットを介して提供される登記情報を表示する表示部分について描画位置の調整をする手段と、前記描画位置の調整終了を判断する手段と、前記描画位置の調整終了と判断すると前記登記情報が前記表示部分に表示されたことを確認する手段と、前記登記情報の前記表示部分に表示されたことを確認すると前記表示された登記情報のデータを記憶部に記録する手段とを備えることを特徴とする登記情報取得装置。【選択図】図１
2007004407.tif 000002
【特許請求の範囲】
【請求項１】
インターネットを介して提供される登記情報を表示する表示部分について描画位置の調整をする手段と、
前記描画位置の調整終了を判断する手段と、
前記描画位置の調整終了と判断すると前記登記情報が前記表示部分に表示されたことを確認する手段と、
前記登記情報の前記表示部分に表示されたことを確認すると前記表示された登記情報のデータを記憶部に記録する手段と
を備えることを特徴とする登記情報取得装置。
【請求項２】
インターネットを介して提供される登記情報が表示部分に表示されたことを確認する手段と、
前記登記情報が表示されたことを確認すると、前記表示された登記情報のデータを記憶部に記録する手段と
を備えることを特徴とする登記情報取得装置であって、
前記登記情報が表示されたことを確認するのは、該登記情報の表示部分の所定位置の色が変化することにより該登記情報が表示されたと確認することを特徴とする登記情報取得装置。
【請求項３】
さらに、前記表示部分に登記情報が表示されたことを確認できない場合、表示部分のリサイズ処理を行い、再度登記情報が表示部分に表示されたことを確認する手段を備えることを特徴とする請求項1又は２記載の登記情報取得装置。
【請求項４】
前記表示された登記情報のデータを記憶部に記録する手段は、前記登記情報を表示する表示部分の所定位置に表示される一又は複数の所定のボタンの存在を確認し、前記所定のボタンを確認した場合、前記所定のボタンのうちの印刷ボタンを選択することで印刷作業に替え予め登記情報を記憶部内の登記情報データベースに格納すべく仮想プリンターとして定義しておき前記表示された登記情報のデータを前記登記情報データベースに格納し、前記所定のボタンを確認しなかった場合、前記表示部分のリサイズを行い再度前記表示部分に前記登記情報が表示されたことを確認することを行う手段であることを特徴とする請求項１、２又は３記載の登記情報取得装置。
【請求項５】
インターネットを介して提供される登記情報が表示される際に該登記情報の表示部分について描画位置の調整をする手段と、
前記表示された登記情報のデータを記録する手段と
を備えることを特徴とする登記情報取得装置。
【請求項６】
インターネットを介して提供される登記情報が表示された後に該登記情報の表示部分をリサイズする手段と、
前記リサイズされたことにより表示された印刷ボタンを選択することで印刷作業に替え予め登記情報を記憶部内の登記情報データベースに格納すべく仮想プリンターとして定義しておき前記表示された登記情報のデータを前記登記情報データベースに格納する手段と
を備えることを特徴とする登記情報取得装置。
【請求項７】
上記手段を繰り返し行うことにより登記情報のデータを連続して記憶部に記録することを特徴とする請求項１，２，３，４，５又は６記載の登記情報取得装置。
【請求項８】
さらに前記記憶部から前記登記情報のデータを読み出しＯＣＲ処理してテキスト等の形式のデータとして記憶部に記録する手段を備えることを特徴とする請求項１，２，３，４，５，６又は７記載の登記情報取得装置。
【請求項９】
さらに前記テキスト等の形式により記録したデータを前記記憶部から読み出し解析して整理しデータベースを作成する手段を備えることを特徴とする請求項８記載の登記情報取得装置。
【請求項１０】
コンピュータによりインターネットを介して提供される登記情報のデータを記録する登記情報取得方法であって、
前記コンピュータはインターネットを介して提供される登記情報を表示する表示部分について描画位置の調整をするステップと、
前記コンピュータは前記描画位置の調整終了を判断するステップと、
前記コンピュータは前記描画位置の調整終了と判断すると前記登記情報が前記表示部分に表示されたことを確認するステップと、
前記コンピュータは前記登記情報の前記表示部分に表示されたことを確認すると前記表示された登記情報のデータを記憶部に記録するステップと
を有することを特徴とする登記情報取得方法。
【請求項１１】
インターネットを介して提供される登記情報を表示する表示部分について描画位置の調整をするステップと、
前記描画位置の調整終了を判断するステップと、
前記描画位置の調整終了と判断すると前記登記情報が前記表示部分に表示されたことを確認するステップと、
前記登記情報の前記表示部分に表示されたことを確認すると前記表示された登記情報のデータを記憶部に記録するステップと
を有する処理をコンピュータに実行させることを特徴とする登記情報取得プログラム。
【請求項１２】
インターネットを介して提供される登記情報が表示される際に該登記情報の表示部分について描画位置の調整をする手段を備えることを特徴とする登記情報表示装置。
【請求項１３】
コンピュータによりインターネットを介して提供される登記情報が表示される際の登記情報表示方法であって、
前記コンピュータはインターネットを介して登記情報のデータを受信し登記情報が表示される際に該登記情報の表示部分について描画位置の調整をするステップを有することを特徴とする登記情報表示方法。
【請求項１４】
インターネットを介して提供される登記情報が表示される際に該登記情報の表示部分について描画位置の調整をするステップを有する処理をコンピュータに実行させることを特徴とする登記情報表示プログラム。
【発明の詳細な説明】
【技術分野】
【０００１】
本発明はインターネットを介して提供される登記情報が表示される際の登記情報表示装置、登記情報表示方法、登記情報表示プログラムに関する。また、本発明はインターネットを介して提供される登記情報を取得する登記情報取得装置、登記情報取得方法、登記情報取得プログラムに関する。
【背景技術】
【０００２】
現在インターネットを介して提供される登記情報を入手することができる。すなわち、財団法人民事法務協会によるインターネット登記情報提供サービスを利用して登記情報を閲覧、紙媒体に印刷することができる。
【０００３】
ここで特許文献1には、各検索用の有料・無料データベース等で供給される特許公報等のデータベースの検索画面を自動的に呼び出してデータベースを自動検索等できるデータベース代行検索全自動システムが開示されている。
【０００４】
【特許文献１】特開２００１−３０６６１３号公報
【発明の開示】
【発明が解決しようとする課題】
【０００５】
上記発明によると、インターネット上の各検索用の有料・無料データベースやＣＤ−ＲＯＭで供給される特許公報等の様なデータベースの検索画面をオペレータを介在させずに任意の時間に自動的に呼び出してデータベースを自動検索等でき、さらに検索結果をファイルとして記録することが可能である。
【０００６】
しかし、インターネットを介して提供される登記情報を取得するのに上記発明をそのまま用いることは困難である。
【０００７】
なぜなら、登記情報の表示部分に登記情報や所定のボタンが表示されない等の事情により、うまく登記情報を入手することが出来ない場合があるからである。さらに、インターネットを介して登記情報を入手しても該登記情報を紙媒体に印刷するしかなく、登記情報のデータを記憶部に記録することが出来ない等の事情があるからである。
【０００８】
本発明は上記点に鑑みなされたものでありその目的とするところは、インターネットを介して提供される登記情報を取得できない事態を避けるための登記情報取得方法、登記情報取得装置、登記情報取得プログラムを提供することにある。また、インターネットを介して提供される登記情報が表示される際に登記情報が表示されない事態を避けるため登記情報表示装置、登記情報表示方法、登記情報表示プログラムを提供することにある。
【課題を解決するための手段】
【０００９】
上記課題を解決するため請求項１記載の登記情報取得装置は、
インターネットを介して提供される登記情報を表示する表示部分について描画位置の調整をする手段と、
前記描画位置の調整終了を判断する手段と、
前記描画位置の調整終了と判断すると前記登記情報が前記表示部分に表示されたことを確認する手段と、
前記登記情報の前記表示部分に表示されたことを確認すると前記表示された登記情報のデータを記憶部に記録する手段と
を備えることを特徴とするものである。
【００１０】
上記課題を解決するため請求項２記載の登記情報取得装置は、
インターネットを介して提供される登記情報が表示部分に表示されたことを確認する手段と、
前記登記情報が表示されたことを確認すると、前記表示された登記情報のデータを記憶部に記録する手段と
を備えることを特徴とする登記情報取得装置であって、
前記登記情報が表示されたことを確認するのは、該登記情報の表示部分の所定位置の色が変化することにより該登記情報が表示されたと確認することを特徴とするものである。
【００１１】
上記課題を解決するため請求項３記載の登記情報取得装置は、請求項１又は２記載の登記情報取得装置であって、さらに、前記表示部分に登記情報が表示されたことを確認できない場合、表示部分のリサイズ処理を行い、再度登記情報が表示部分に表示されたことを確認する手段を備えることを特徴とするものである。
【００１２】
上記課題を解決するため請求項４記載の登記情報取得装置は、請求項１、２又は３記載の登記情報取得装置であって、前記表示された登記情報のデータを記憶部に記録する手段は、前記登記情報を表示する表示部分の所定位置に表示される一又は複数の所定のボタンの存在を確認し、前記所定のボタンを確認した場合、前記所定のボタンのうちの印刷ボタンを選択することで印刷作業に替え予め登記情報を記憶部内の登記情報データベースに格納すべく仮想プリンターとして定義しておき前記表示された登記情報のデータを前記登記情報データベースに格納し、前記所定のボタンを確認しなかった場合、前記表示部分のリサイズを行い再度前記表示部分に前記登記情報が表示されたことを確認することを行う手段であることを特徴とするものである。
【００１３】
上記課題を解決するため請求項５記載の登記情報取得装置は、
インターネットを介して提供される登記情報が表示される際に該登記情報の表示部分について描画位置の調整をする手段と、
前記表示された登記情報のデータを記録する手段と
を備えることを特徴とするものである。
【００１４】
上記課題を解決するため請求項６記載の登記情報取得装置は、
インターネットを介して提供される登記情報が表示された後に該登記情報の表示部分をリサイズする手段と、
前記リサイズされたことにより表示された印刷ボタンを選択することで印刷作業に替え予め登記情報を記憶部内の前記登記情報データベースに格納すべく仮想プリンターとして定義しておき前記表示された登記情報のデータを登記情報データベースに格納する手段と
を備えることを特徴とするものである。
【００１５】
上記課題を解決するため請求項７記載の登記情報取得装置は、請求項１，２，３，４，５又は６記載の登記情報取得装置であって、上記手段を繰り返し行うことにより登記情報のデータを連続して記憶部に記録することを特徴とするものである。
【００１６】
上記課題を解決するため請求項８記載の登記情報取得プログラムは、請求項１，２，３，４，５，６又は７記載の登記情報取得装置であって、さらに前記記憶部から前記登記情報のデータを読み出しＯＣＲ処理してテキスト等の形式のデータとして記憶部に記録する手段を備えることを特徴とするものである。
【００１７】
上記課題を解決するため請求項９記載の登記情報表示装置は、請求項８記載の登記情報取得装置であって、さらに前記テキスト等の形式により記録したデータを前記記憶部から読み出し解析して整理しデータベースを作成する手段を備えることを特徴とするものである。
【００１８】
上記課題を解決するため請求項１０記載の登記情報取得方法は、コンピュータによりインターネットを介して提供される登記情報のデータを記録する登記情報取得方法であって、
前記コンピュータはインターネットを介して提供される登記情報を表示する表示部分について描画位置の調整をするステップと、
前記コンピュータは前記描画位置の調整終了を判断するステップと、
前記コンピュータは前記描画位置の調整終了と判断すると前記登記情報が前記表示部分に表示されたことを確認するステップと、
前記コンピュータは前記登記情報の前記表示部分に表示されたことを確認すると前記表示された登記情報のデータを記憶部に記録するステップと
を有することを特徴とするものである。
【００１９】
上記課題を解決するため請求項１１記載の登記情報取得プログラムは、インターネットを介して提供される登記情報を表示する表示部分について描画位置の調整をするステップと、
前記描画位置の調整終了を判断するステップと、
前記描画位置の調整終了と判断すると前記登記情報が前記表示部分に表示されたことを確認するステップと、
前記登記情報の前記表示部分に表示されたことを確認すると前記表示された登記情報のデータを記憶部に記録するステップと
を有する処理をコンピュータに実行させることを特徴とするものである。
【００２０】
上記課題を解決するため請求項１２記載の登記情報表示装置は、インターネットを介して提供される登記情報が表示される際に該登記情報の表示部分について描画位置の調整をする手段を備えることを特徴とするものである。
【００２１】
上記課題を解決するため請求項１３記載の登記情報表示装置は、コンピュータによりインターネットを介して提供される登記情報が表示される際の登記情報表示方法であって、
前記コンピュータはインターネットを介して登記情報のデータを受信し登記情報が表示される際に該登記情報の表示部分について描画位置の調整をするステップを有することを特徴とするものである。
【００２２】
上記課題を解決するため請求項１４記載の登記情報表示プログラムは、インターネットを介して提供される登記情報が表示される際に該登記情報の表示部分について描画位置の調整をするステップを有する処理をコンピュータに実行させることを特徴とするものである。
【発明の効果】
【００２３】
請求項１、１０及び１１記載の発明により、描画位置を調整及び登記情報が表示部分に表示されたことを確認することで、インターネットを介して提供される登記情報を取得できない事態を避けることができる。さらに、紙媒体でしか入手できなかった登記情報のデータの記録が可能となる。
【００２４】
請求項２記載の発明により、紙媒体でしか入手できなかった登記情報のデータの記録が可能となる。さらに、登記情報が表示部分に表示されたことを色の変化により確認することで、登記情報が表示されたことを確認でき、インターネットを介して提供される登記情報を取得できない事態を避けることができる。
【００２５】
請求項３記載の発明により、登記情報を表示する表示部分のフレームのハンドル値を取得しても登記情報が表示されないという問題を解消でき、登記情報を取得できない事態を避けることができる。
【００２６】
請求項４記載の発明において、印刷ボタンを選択して印刷作業に替えて登記情報のデータを記録することが出来、従来紙媒体でしか入手できなかった登記情報の記録が可能となる。さらに所定のボタンの存在を確認して、選択することで登記情報を記録することから登記情報を取得できない事態を避けることができる。また、所定のボタンを確認しなかった場合、表示部分のリサイズにより印刷ボタンを表示させることが出来、印刷ボタンの選択が可能となる。
【００２７】
請求項５記載の発明により、登記情報の表示部分について描画位置を調整することで、インターネットを介して提供される登記情報を取得できない事態を避けることができる。さらに、紙媒体でしか入手できなかった登記情報のデータの記録が可能となる。
【００２８】
請求項６記載の発明において、印刷ボタンを選択することにより従来紙媒体でしか入手できなかった登記情報のデータの記録が可能となる。登記情報の表示部分のリサイズにより所定のボタンを表示させることができ、所定のボタンの選択が可能となるため、登記情報を取得できない事態を避けることができる。
【００２９】
請求項７記載の発明により、登記情報の連続取得が可能となる。請求項８記載の発明のおいて、記憶部から登記情報のデータを読み出しＯＣＲ処理してテキスト等の形式のデータとして記憶部に記録することにより該テキスト等の形式のデータの有効利用が図れる。請求項９記載の発明のおいて、テキスト等の形式により記録したデータを記憶部から読み出し解析して整理しデータベースを作成することにより、データベースとして登記情報の有効利用が図れる。
【００３０】
請求項１２ないし１４記載の発明により、登記情報の表示部分について描画位置を調整することで、インターネットを介して提供される登記情報が表示されない事態を避けることができる。
【発明を実施するための最良の形態】
【００３１】
以下、本発明を実施するための最良の形態について説明する。図１は本発明に係る登記情報取得装置の構成図の一例である。
【００３２】
図１に示すように登記情報取得装置は制御部１０１、入力部１０２、表示部１０３、記憶部１０４を備える。さらに、登記情報取得装置はインターネットを介して外部と通信可能である（図示せず）。
【００３３】
制御部１０１は、記憶部１０４に予め記録されている所定のデータ又は入力部１０２により入力される所定のデータをインターネットを介してインターネット登記情報提供サービスに送信する。詳しくは後述するが、所定のデータは認証入力用のデータ、現乙号オンライン取得操作必要項目データ、登記情報に関するデータ等が該当する。
【００３４】
インターネット登記情報提供サービスからインターネットを介して前記所定の情報に対応する登記情報が登記情報取得装置に提供される。
【００３５】
制御部１０１は、提供された登記情報を表示し、表示した登記情報を記憶部１０４に記録する。この際、制御部１０１は、登記情報の表示部分について描画位置の調整、描画位置の調整終了の確認、登記情報の表示の確認、所定のボタンの存在の確認、表示部分のリサイズ等を行い、登記情報を取得できない事態を避ける。
【００３６】
なお、記憶部１０４の一部又は全部は、例えばサーバ等の利用により登記情報取得装置の外部に設けられる場合がある。本発明において記憶部１０４の一部又は全部の設けられる場所は、登記情報取得装置の内部又は外部を問わない。
【００３７】
また、本発明において表示部分に登記情報が表示されるとは表示部分全体又は表示部分の一部に登記情報が表示されることをいう。
【００３８】
さらにまた、登記情報取得装置は登記情報の取得を主目的とするため、表示部１０３は必ずしも必要ではなく、本発明において「登記情報の表示」「表示する表示部分」等の表現は、制御部１０１が表示部１０３に登記情報等を表示する他、表示部１０３に登記情報等を表示しないで表示部１０３に表示するのと同様の処理を制御部１０１が行うことをも含む概念である。
【００３９】
また、本発明において表示部分について「描画位置の調整」とは表示部分全体の描画位置の調整のみならず表示部分の一部の描画位置の調整をも含む。
【００４０】
図２は、登記情報取得装置がコンピュータによって実現された場合のハードウェア構成図である。図２に示すように、登記情報取得装置は、ＣＰＵ２０１、キーボード２０２、マウス２０２、ディスプレイ２０３、ハードディスク２０４、メインメモリ２０５を備える。
【００４１】
図２において、上記制御部１０１はＣＰＵ２０１により実現されている。上記入力部１０２は、キーボード２０２、マウス２０２により実現されている。上記表示部１０３は、ディスプレイ２０３により実現されている。上記記憶部１０４は、ハードディスク２０４、メインメモリ２０５により実現されている。
【００４２】
ハードディスク２０４には、登記情報取得プログラム、ＯＳ等の必要なプログラム、登記情報に関するデータ、認証入力用のデータ、現乙号オンライン取得操作必要項目データ等が記録されている。認証入力用のデータ、現乙号オンライン取得操作必要項目データは例えばパラメータ化され記録される。登記情報に関するデータは例えば表形式でデータベースに格納される。
【００４３】
さらに、登記情報のデータや、登記情報のデータをＯＣＲ処理してテキスト等の形式としたデータ等が記録され、ＯＣＲ処理してテキスト等の形式したデータを解析して整理して作成されたデータベース等が記録され、必要に応じて前記登記情報のデータ等はそれぞれファイル形式により登記情報データベース等のデータベースに格納される。なお、登記情報取得プログラムは例えば、ＣＤ−ＲＯＭドライブ２０６からＣＤ−Ｒ等によりインストールされる。
【００４４】
なお、本発明においてハードディスク２０４は登記情報取得装置の外部の例えばサーバに設けても良い。さらに、ハードディスク２０４が記録する及び又は記録されているデータ、プログラムの一部又は全部は外部に設けられた例えばサーバ等の記憶部に記録する及び又は記録されてもよい。以下ではハードディスク２０４に必要なデータ、プログラムが記録されているものとして説明する。
【００４５】
メインメモリ２０５にはＯＳ、登記情報取得プログラム等が展開される。さらにメインメモリ２０５にはＣＰＵ２０１の作業領域が設けられる。
【００４６】
ディスプレイ２０３には登記情報が表示される。具体的にはディスプレイ２０３内に登記情報を表示する表示部分が表示される。さらにこの表示部分（表示部分全体又は表示部分の一部）に登記情報が表示される。表示部分は、ウィンドウ等が該当する。
【００４７】
本発明は登記情報を受信し記録することが目的のため、ディスプレイ２０３は必ずしも必要ではない。本発明において「登記情報を表示する」「表示する表示部分」等という表現は、登記情報等をディスプレイ２０３に表示する他、ディスプレイ２０３に表示しないでディスプレイ２０３に表示するのと同様の処理をＣＰＵ２０１が登記情報取得プログラム等の指令に基づいて行うことをも含む概念である。
【００４８】
キーボード２０２、マウス２０２からは必要なデータが入力される。例えば、登記情報に関するデータが入力部１０２により入力され、ハードディスク２０４に記録される。なお、キーボード２０２、マウス２０２は必ずしも必要でない場合がある。
【００４９】
登記情報取得装置の処理手順について図４ないし図８を参照して説明する。ＣＰＵ２０１はメインメモリ２０５に展開されたＯＳ及び登記情報取得プログラムの指令により以下の処理を行う。
【００５０】
なお、登記情報は不動産についての登記情報と会社・法人についての登記情報がある。
【００５１】
図４は、本発明に係る登記情報取得装置の処理手順図である。
【００５２】
取得したい登記情報に関するデータをハードディスク２０４から読み出す（ステップＳ４０１）。登記情報に関するデータとは、登記簿に記載されている情報のデータであり、登記情報を取得する際のキーとなるデータである。この読み出した取得したい登記情報に関するデータに対応する登記情報を取得する。ハードディスク２０４に記録されている登記情報に関するデータのうち、どのデータを取得したい登記情報に関するデータとして読み出すかは、キーボード２０２等により選択される。
【００５３】
登記情報に関するデータには不動産についての登記情報に関するデータと会社・法人についての登記情報に関するデータがある。上述のように、これらはハードディスク２０４に記録されている。
【００５４】
不動産についての登記情報に関するデータは、例えば、土地については、所在、地番または不動産番号のデータ、建物については、所在、家屋番号または不動産番号のデータがある。
【００５５】
また、法人・会社についての登記情報に関するデータは、例えば、商業法人については本店（または主たる所在地）、商号（または名称）または法人番号のデータがある。
【００５６】
登記情報に関するデータは予め、キーボード２０２やマウス２０２等により入力されハードディスク２０４に記録されたものである。取得したい登記情報は通常複数あるので、登記情報に関するデータはデータベースに表形式でハードディスク２０４に格納される。取得したい複数の登記情報が複数グループある場合、前記データベースは複数となる。
【００５７】
取得したい登記情報がまだあるかを判断する（ステップＳ４０２）。上記ハードディスク２０４に記録された前記データベースから取得したい登記情報に対応する登記情報に関するデータを全て読み出したかを判断し、登記情報に関するデータを全て読み出した場合はステップＳ４０５に進み（ステップＳ４０２のＮＯ）、登記情報に関するデータを全て読み出してない場合はステップＳ４０３に進む（ステップＳ４０２のＹＥＳ）。
【００５８】
認証入力用のデータ、現乙号オンライン取得操作必要項目データを読み出す（ステップＳ４０３）。認証入力用のデータは、登記情報を財団法人民事法務協会から得る際に必要な暗証番号等が該当する。現乙号オンライン取得操作必要項目データは、取得したい登記情報の種類（登記全部情報等）を選ぶ等、処理方法を選択するためのデータである。
【００５９】
登記情報を取得する（ステップＳ４０４）。詳しくは後述する。取得した登記情報のデータは登記情報データベースに格納される。登記情報の取得後、ステップＳ４０１に戻る。なお、取得したい登記情報が複数ある場合、ステップＳ４０１ないしステップＳ４０４を繰り返すことにより登記情報の連続取得が可能である。また、ステップＳ４０１において、複数のデータを読み出し、該データに対応する複数の登記情報をステップ４０４で取得することによっても登記情報の連続取得が可能となる。
【００６０】
ステップＳ４０５において、ステップＳ４０４でハードディスク２０４内の登記情報データベースに格納された登記情報のデータを読み出す。
【００６１】
読み出した登記情報のデータをＯＣＲ処理してテキスト等の形式のデータとしてハードディスク２０４に記録する（ステップＳ４０６）。テキスト等の形式のデータとはテキスト形式、ＣＳＶ形式、ＸＭＬ形式等のデジタルデータが該当する。
【００６２】
全ての登記情報をＯＣＲ処理して記録したかを判断する（ステップＳ４０７）。ハードディスク２０４内の登記情報データベースに格納された登記情報を全て読み出したか判断し、全て読み出した場合ステップＳ４０８に進み（ステップＳ４０７のＹＥＳ）、全て読み出していない場合ステップＳ４０５に戻る（ステップＳ４０７のＮＯ）。
【００６３】
ステップＳ４０８において、ステップＳ４０７でテキスト等の形式として記録したデータをハードディスク２０４から読み出し、解析して整理しデータベースを作成する。ステップＳ４０５からステップＳ４０８によりテキスト等の形式のデータを複数まとめて得ることが出来、データベースも容易に作成される。解析及び整理は自動で行われる。
【００６４】
解析処理は、登記のもつ性質により、民法、不動産登記法、同準則、同通達、商法、商業登記法、同準則、同通達等に則して、自動補正した上で行われ、記憶部１０４に登記情報データベースファイルとして構築される。この解析処理は本発明者が既に発明し特許出願した技術（特開２００１−１４３０５８）により実現可能である。
【００６５】
ステップＳ４０４について図３、図5ないし図９を参照して詳しく説明する。図５ないし図８は、登記情報取得装置において、上記ステップＳ４０４を詳しく説明した処理手順図である。図３は描画位置の調整についての説明図である。図９は登記情報が表示部分に表示された場合の画面である。
【００６６】
所定のデータをインターネットを介して送信（ステップＳ５０１）する。所定のデータとはハードディスク２０４から上記において読み出した認証入力用のデータ、現乙号オンライン取得操作必要項目データ、登記情報に関するデータである。所定のデータはインターネットを介して財団法人民事法務協会の登記情報を提供するホームページを管理するサーバに送信される。なお、所定のデータは上記において読み出さず、直接キーボード２０２等により入力されたものでも良い。
【００６７】
所定のデータを財団法人民事法務協会の登記情報を提供するホームページを管理するサーバに送信することにより、所定のデータ（登記情報に関するデータ）に対応する登記情報の送信について、財団法人民事法務協会の登記情報を提供するホームページを管理するサーバに要求することになる。そして、登記情報がインターネットを介して登記情報取得装置に提供されることになる。
【００６８】
数秒待機する（ステップＳ５０２）。所定のデータを送信するとＷｅｂブラウザの新しいウィンドウが起動するため、数秒待機する。
【００６９】
Ｗｅｂブラウザの表示確認をする（ステップＳ５０３）。Ｗｅｂブラウザの新しいウィンドウのタイトルから目的のウィンドウのウインドウハンドルを取得できることを確認し、確認できればステップＳ５０６に進み（ステップＳ５０３のＹＥＳ）、確認できなければステップＳ５０４に進む（ステップＳ５０３のＮＯ）。
【００７０】
上記Ｗｅｂブラウザの新しいウィンドウは適宜プログラム側から予約したものに変更する。具体的にはフレームセットしているＨＴＭＬファイルの＜ＴＩＴＬＥ＞タグで指定する。
【００７１】
ステップＳ５０４においてタイムアウトか否かを判断する。タイムアウトと判断した場合はステップＳ５０５に進み（ステップＳ５０４のＹＥＳ）、タイムアウトとなり処理を終了する。タイムアウトでないと判断した場合はステップＳ５０３に戻る（ステップＳ５０４のＮＯ）。
【００７２】
タイムアウトの基準は最初のステップＳ５０３での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００７３】
前記Ｗｅｂブラウザの新しいウィンドウ内の登記簿イメージが表示されるエリア（Ｊａｖａアプレット表示部分）のコントロールのハンドルを取得できたか判断する（ステップＳ５０６）。取得できた場合、ステップＳ６０１に進み（ステップＳ５０６のＹＥＳ）、取得できていない場合、ステップＳ５０７に進む（ステップＳ５０６のＮＯ）。
【００７４】
ステップＳ５０７においてタイムアウトか否かを判断する。タイムアウトと判断した場合はステップＳ５０８に進み（ステップＳ５０７のＹＥＳ）、タイムアウトとなり処理を終了する。タイムアウトでないと判断した場合はステップＳ５０６に戻る（ステップＳ５０７のＮＯ）。
【００７５】
タイムアウトの基準は最初のステップＳ５０６での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００７６】
前記送信した所定のデータに対応し、インターネットを介して提供された登記情報の登記情報を表示するウィンドウ（表示部分）の大きさが大き過ぎたり、小さ過ぎないように描画位置の調整をする（ステップＳ６０１）。つまり、前記登記情報を表示するウィンドウの大きさが大き過ぎたり、小さ過ぎたりしないように、登記情報を表示するウィンドウ（表示部分）の大きさを自動調整する。
【００７７】
描画位置の調整は例えば固定のサイズで自動で行われる。例えば、登記情報を表示するウィンドウの左上の座標を（１０，１０）、右下の座標を（９７６，７００）として描画位置の調整が行われる（図３参照）。ＸＧＡの画面のおよそ９０から９４パーセントの大きさの固定サイズで描画位置の調整が行われる。ウィンドウが最大化されている場合、通常の状態に変更し、描画位置も上記固定のサイズに調整する。描画位置の調整はウィンドウの大きさの調整のほか、ウィンドウ内の一部分（登記情報を表示する部分を含む部分）の大きさの調整等も含む。
【００７８】
例えば、Ｗｅｂブラウザ（Internet Explorer（登録商標））起動直後の表示領域は、単独で起動した場合、前回起動した位置やサイズ、前回の最大化の状態の情報、起動しているウィンドウの数等の情報により自動的に決定される。このため、上記描画位置の調整により、登記情報表示用の画面をＷｅｂブラウザに表示させたときに、極端に大き過ぎたり小さ過ぎたりしないように、自動的に調整処理を行なう。
【００７９】
これにより、印刷ボタン９０３（図９参照）等の所定のボタンの位置が画面から隠れてしまうことを防ぐと共に、サイズを調整することにより、Javaアプレット起動表示部分の全部又は一部分（登記情報の表示部分）に登記情報がうまく表示されるようにして、登記情報がうまく表示されないことがある問題を解決している。
【００８０】
描画位置の調整の終了を判断する（ステップＳ６０２）。登記情報を表示するウィンドウのフレームのハンドル値が取得できれば、描画位置の調整の終了と判断し、ステップＳ６０５に進む（ステップＳ６０２のＹＥＳ）。またハンドル値が取得できない場合、描画位置の調整は終了していないと判断し、ステップＳ６０３に進む（ステップＳ６０２のＮＯ）。
【００８１】
ステップＳ６０３においてタイムアウトか否かを判断する。タイムアウトと判断した場合はステップＳ６０４に進み（ステップＳ６０３のＹＥＳ）、タイムアウトとなり処理を終了する。タイムアウトでないと判断した場合はステップＳ６０１に戻る（ステップＳ６０３のＮＯ）。
【００８２】
タイムアウトの基準は最初のステップＳ６０２での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００８３】
描画されたか否かを確認する（ステップＳ６０５）。すなわち、インターネットを介して提供される登記情報が所定の表示部分に表示されたことを確認する。例えば、登記情報が表示される表示部分の所定の位置（登記情報が表示される部分の任意の位置）の色が変わるのを検出して登記情報の表示を確認する。これにより、登記情報の表示を検出でき、登記情報を取得できない事態を避けることができる。
【００８４】
例えばウィンドウ表示直後は、登記情報が表示される部分（Ｊａｖａアプレット表示部分）は、グレーの背景色で表示され、登記情報が表示されると表示部分の上部がグレーの背景色から紺色に変化する（図９における９０１の部分）。この色の変化を検出し、検出されれば描画されたと判断し（ネットワークを介して提供される登記情報が所定の表示部分に表示された事を確認し）、ステップＳ７０１に進み（ステップＳ６０５のＹＥＳ）、検出されなければ描画されていないと判断し（ネットワークを介して提供される登記情報が所定の表示部分に表示された事を確認されないので）、ステップＳ６０６に進む（ステップＳ６０５のＮＯ）。また、例えば、色の変化は登記情報が表示される任意の部分の色の変化により検出しても良い。この場合、グレーの背景色が登記情報が表示されると白に変化する。
【００８５】
ステップＳ６０６においてタイムアウトか否かを判断する。タイムアウトと判断した場合はステップＳ６０７に進み（ステップＳ６０６のＹＥＳ）、タイムアウトとなり処理を終了する。タイムアウトでないと判断した場合はステップＳ６０５に戻る（ステップＳ６０６のＮＯ）。タイムアウトの基準は最初のステップＳ６０５での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００８６】
登記情報の表示が確認できた場合、表示された登記情報のデータを記憶部（ハードディスク２０４内の登記情報データベース）に格納する。例えば、前記表示された登記情報のデータを記憶部に記録するのは、前記登記情報を表示する表示部分の所定位置に表示される一又は複数の所定のボタンの存在を確認し（例えば、ステップＳ７０１及び又はステップＳ７０５）、前記所定のボタンを確認した場合、印刷ボタンを選択（例えば、ステップＳ７０８）することで印刷作業に換えて前記表示された登記情報を記憶部に記録し（例えば、ステップＳ８０１ないしステップＳ８０６）、前記所定のボタンを確認しなかった場合、前記表示部分のリサイズを行い再度前記表示部分に前記登記画像が表示されたことを確認する事を行う（例えば、ステップＳ７０４等）。
【００８７】
登記情報を記録するウィンドウ内に「拡大表示」というボタン（図９の９０２参照）が表示されていることを確認する（ステップＳ７０１）。
【００８８】
ウィンドウのコントロールの文字からその存在を取得することができないので、拡大表示ボタンが表示されると予想される座標位置の色が変わることで判定し、色が変われば「拡大表示」というボタンが表示されていると確認しステップＳ７０５に進み（ステップＳ７０１のＹＥＳ）、色が変わらなければ「拡大表示」というボタンが表示されていないと確認しステップＳ７０２に進む（ステップＳ７０１のＮＯ）。
【００８９】
ステップＳ７０２においてタイムアウトか否かを判断する。タイムアウトと判断した場合はステップＳ７０３に進み（ステップＳ７０２のＹＥＳ）、タイムアウトとなり処理を終了する。タイムアウトでないと判断した場合（ステップＳ７０１のＮＯ）はウィンドウのリサイズを行い（ステップＳ７０４）、ステップＳ６０５に戻り、再び登記情報が表示部分に表示されたことを確認する。
【００９０】
ここで、ウィンドウ（表示部分）のリサイズとは、例えばウィンドウズ（登録商標）がＯＳの場合、ウィンドウを一度最大化し、ウィンドウをもう一度元の大きさに戻し、該ウィンドウをアクティブなものとし、最新の情報に更新する（Ｆ５キーの選択）処理を行う。ウィンドウ（表示部分）のリサイズにより、「拡大表示」ボタンや「印刷ボタン」等の所定のボタンが表示される。ウィンドウ（表示部分）のリサイズは自動で行われる。
【００９１】
タイムアウトの基準は最初のステップＳ７０１での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００９２】
ウィンドウ内に「印刷」というボタン（図９の９０３参照）が表示されていることを確認する（ステップＳ７０５）。ウィンドウのコントロールの文字からその存在を取得することができないので、印刷ボタンが表示されると予想される座標位置の色が変わることで判定し、色が変われば「印刷」というボタンが表示されていると確認しステップＳ７０８に進み（ステップＳ７０５のＹＥＳ）、色が変わらなければ「印刷」というボタンが表示されていないと確認しステップＳ７０６に進む（ステップＳ７０５のＮＯ）。
【００９３】
ステップＳ７０６においてタイムアウトか否かを判断する。タイムアウトと判断した場合はステップＳ７０７に進みタイムアウトとなり処理を終了する（ステップＳ７０６のＹＥＳ）。タイムアウトでないと判断した場合はステップＳ６０５に戻る（ステップＳ７０６のＮＯ）。
【００９４】
タイムアウトの基準は最初のステップＳ７０６での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【００９５】
「印刷」ボタンと思われる座標位置をマウスでクリックするのと同様の処理を行う（ステップＳ７０８）。これにより印刷ボタンと思われる位置が選択されたことになる。また、ウィンドウ内で印刷ボタンの位置はほぼ決まっているので、ウィンドウ内の「印刷」ボタンと思われる位置は容易に予測できる。このように印刷ボタンを選択することで前記表示された登記情報を記憶部に記録することができる（具体的には、例えばステップＳ８０１ないしＳ８０６）。
【００９６】
ステップＳ７０４におけるリサイズされたことにより表示された印刷ボタンを選択することにより登記情報のデータを記録することができる（具体的には、例えばステップＳ８０１ないしＳ８０６）。
【００９７】
印刷ボタンが選択されると印刷用のダイアログが表示される（ステップＳ８０１）のでステップＳ８０２において印刷ダイアログ中の「ＯＫ」ボタンを選択する（マウスでクリックするのと同様の処理を行う）。これにより印刷が選択されたことになる。「ＯＫ」ボタンはWindows等のコントロールとして取得できるからタイトル文字（”ＯＫ”）よりその位置を取得することが可能である。そして、本処理では印刷が選択されると印刷作業に替え、ハードディスク２０４内の登記情報ファイルに表示された登記情報のデータが格納される。すなわち、印刷ボタンを選択することで印刷作業に替え予め登記情報を記憶部内の登記情報データベースに格納すべく仮想プリンターとして定義しておき前記表示された登記情報のデータを登記情報データベースに格納する。
【００９８】
記録する時間により待機処理後（ステップＳ８０３）、印刷用のダイアログが消えたことを検出する（ステップＳ８０４）。
【００９９】
印刷用のダイアログが消えた場合は本処理を終了し（ステップＳ８０４のＹＥＳ）、消えない場合はステップＳ８０５に進む（ステップＳ８０４のＮＯ）。
【０１００】
ステップＳ８０５においてタイムアウトか否かを判断する。タイムアウトと判断した場合はステップＳ８０６に進みタイムアウトとなり処理を終了する（ステップＳ８０５のＹＥＳ）。タイムアウトでないと判断した場合はステップＳ８０３に戻る（ステップＳ８０５のＮＯ）。
【０１０１】
タイムアウトの基準は最初のステップＳ８０４での判断から又はステップ４０４の処理を開始した時点等から約１分間が基準となり、１分経過してなければタイムアウトとはならず、１分経過後にタイムアウトとなる。タイムアウトの基準及び時間は適宜決定し得る。
【０１０２】
本処理ステップＳ４０４において登記情報の表示及び表示した登記情報の登記情報の記録を繰り返すことにより登記情報の連続取得が可能となる。また、登記情報を複数件について順次表示後、表示された登記情報の登記情報を順次記録しても登記情報の連続取得が可能となる。
【０１０３】
なお、ステップＳ７０４におけるウィンドウのリサイズは、ステップＳ６０６のＮＯの後でステップＳ６０５に戻る前又はステップＳ７０６のＮＯの後でステップＳ６０５に戻る前に行っても良い。ステップＳ７０４の段階を含めていずれか一つ、二つ、三つ行えばよい。特に、ステップＳ６０６のＮＯの後でステップＳ６０５に戻る前では、登記情報を表示するウィンドウのフレームのハンドル値を取得しても、登記情報が表示されない場合があり、この場合にウィンドウのリサイズを行えば、登記画像が表示される。
【０１０４】
登記情報表示装置、登記情報表示方法、登記情報表示プログラムについての実施形態は上記登記情報取得装置、登記情報取得方法、登記情報取得プログラムの実施形態における登記情報の表示する部分に準ずるので説明を省略する。
【図面の簡単な説明】
【０１０５】
【図１】本発明に係る登記情報取得装置の構成図の一例である。
【図２】登記情報取得装置がコンピュータによって実現された場合のハードウェア構成図である。
【図３】描画位置の調整についての説明図である。
【図４】本発明に係る登記情報取得装置の処理手順図である。
【図５】本発明に係る登記情報取得装置の処理手順図である。
【図６】本発明に係る登記情報取得装置の処理手順図である。
【図７】本発明に係る登記情報取得装置の処理手順図である。
【図８】本発明に係る登記情報取得装置の処理手順図である。
【図９】登記情報が表示部分に表示された場合の画面である。
【符号の説明】
【０１０６】
１０１  制御部
１０２  入力部
１０３  表示部
１０４  記憶部
２０１  ＣＰＵ
２０２  キーボード
２０２  マウス
２０３  ディスプレイ
２０４  ハードディスク
２０５  メインメモリ
２０６  ＣＤ−ＲＯＭドライブ
【図１】
2007004407.tif 000003
【図２】
2007004407.tif 000004
【図３】
2007004407.tif 000005
【図４】
2007004407.tif 000006
【図５】
2007004407.tif 000007
【図６】
2007004407.tif 000008
【図７】
2007004407.tif 000009
【図８】
2007004407.tif 000010
【図９】
2007004407.tif 000011